(57)【要約】【課題】  ２層の合わせ部分の離間を防止することができる媒体スタッカ及びその媒体スタッカを備えた記録装置を提供すること。【解決手段】  排出される媒体を受ける受部４３と、この受部を支持する支持部４４の２層で構成され、前記受部と前記支持部の排出方向上流側の側面が係止部４６、４７により係止されている。これにより、受部と支持部の幅方向の合わせ部分を常に閉じた状態に維持しておくことができるので、排出される媒体との干渉を無くして媒体を確実に積載することができる。【選択図】      図６
2007031042.tif 000002
【特許請求の範囲】
【請求項１】
排出される媒体を積載する媒体スタッカであって、
前記媒体を受ける受部と、この受部を支持する支持部の２層で構成され、
前記受部と前記支持部の排出方向上流側の側面が係止部により係止されていることを特徴とする媒体スタッカ。
【請求項２】
前記受部と前記支持部の間に内蔵されており、排出方向下流側にて挿抜自在な補助スタッカを有することを特徴とする請求項１に記載の媒体スタッカ。
【請求項３】
前記係止部は、爪とこの爪が掛かる穴を備えていることを特徴とする請求項１又は２に記載の媒体スタッカ。
【請求項４】
前記媒体の排出部にて回動自在に構成されていることを特徴とする請求項１〜３の何れか一項に記載の媒体スタッカ。
【請求項５】
記録媒体を搬送して記録する記録装置であって、
請求項１〜４の何れか一項に記載の媒体スタッカを備えたことを特徴とする記録装置。
【発明の詳細な説明】
【技術分野】
【０００１】
本発明は、排出される媒体を積載する媒体スタッカ及びその媒体スタッカを備えた記録装置に関する。
【背景技術】
【０００２】
一般に、記録装置の１つであるインクジェット式プリンタにおいては、新規の用紙はプリンタ本体の背面側に配設されている収納自在な給紙トレイ内に積載されて一端がホッパにより持ち上げられ、最上位の用紙が給紙ローラにより引出されて給紙される。そして、給紙された用紙は搬送ローラにより搬送されて記録が行われ、記録済みの用紙は排紙ローラにより搬送されてプリンタ本体の前面側に配設されている収納自在な排紙スタッカ上に排紙されるようになっている（特許文献１参照）。
【０００３】
【特許文献１】特開２００３−７３００７号公報
【発明の開示】
【発明が解決しようとする課題】
【０００４】
一般的に、排紙スタッカは、排紙される記録用紙を受ける板状の受部と、この受部を支持する板状の支持部が合わされた２層構造となっている。このため、特に幅広の用紙が記録可能なインクジェット式プリンタの排紙スタッカにおいては、受部と支持部の幅方向の合わせ部分が離間し易く、排紙される用紙の先端が離間した受部等と干渉するおそれがある。また、スタッカ先端側にて出し入れ自在な補助スタッカを備えた排紙スタッカの場合、補助スタッカを完全に引出したときや押し込んだときにストッパが掛かるように構成されているものがある。このような排紙スタッカの受部と支持部の幅方向の合わせ部分が離間した場合、補助スタッカがストッパに引っ掛からなくなるおそれがある。
【０００５】
本発明は、上記のような種々の課題に鑑みなされたものであり、その目的は、２層の合わせ部分の離間を防止することができる媒体スタッカ及びその媒体スタッカを備えた記録装置を提供することにある。
【課題を解決するための手段】
【０００６】
上記目的達成のため、本発明の媒体スタッカでは、排出される媒体を積載する媒体スタッカであって、前記媒体を受ける受部と、この受部を支持する支持部の２層で構成され、前記受部と前記支持部の排出方向上流側の側面が係止部により係止されていることを特徴としている。これにより、受部と支持部の幅方向の合わせ部分を常に閉じた状態に維持しておくことができるので、排出される媒体との干渉を無くして媒体を確実に積載することができる。
【０００７】
また、前記受部と前記支持部の間に内蔵されており、排出方向下流側にて挿抜自在な補助スタッカを有することを特徴としている。これにより、補助スタッカはストッパに対し常に引っ掛かるようになるので、補助スタッカの格納・引出位置を正確に位置決めすることができる。また、前記係止部は、爪とこの爪が掛かる穴を備えていることを特徴としている。これにより、係止部を簡易な構成とすることができるので、部品コストの上昇を抑えることができる。また、前記媒体の排出部にて回動自在に構成されていることを特徴としている。これにより、受部と支持部の幅方向の合わせ部分の離間による回動不良を防止することができる。
【０００８】
上記目的達成のため、本発明の記録装置では、記録媒体を搬送して記録する記録装置であって、上記各媒体スタッカを備えたことを特徴としている。これにより、上記各作用効果を奏する記録装置を提供することが可能である。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の一実施の形態に係る記録装置の１つであるインクジェット式プリンタの外観構成の全体を示す斜視図、図２は、その内部構造を示す斜視図、図３は、その内部構造を示す概略側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１１】
このインクジェット式プリンタ１００は、図１に示すように、全体が略直方体状のハウジング１０１で覆われている。そして、ハウジング１０１の上面における前面側には操作部１１０が配設され、前面における図示右側にはメモリカードスロット部１２０が配設され、上面における背面側には給紙部１３０が配設され、前面側には本発明の特徴的な部分を含む排紙部１４０が配設されている。更に、図２及び図３に示すように、排紙部１４０の内部にはディスク搬送部２００が配設されている。
【００１２】
操作部１１０は、図１に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したり記録ヘッドのクリーニング等を操作する操作系、画像処理等を行う処理系等のボタン１１３が配設されている。ユーザは、液晶パネル１１２を見て確認しながらボタン１１３を操作することができるので、誤操作を防止することができる。
【００１３】
メモリカードスロット部１２０は、図１に示すように、図示矢印ａ方向に開閉自在なカバー１２１で覆われている。このメモリカードスロット部１２０は、例えば５スロット形成され、１３種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００１４】
給紙部１３０は、図１に示すように、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の図示左側のハウジング１０１に設けられた穴１３３に指を差し込んでペーパーサポート１３２の図示左側を持ってペーパーサポート１３２を開閉することができるので、用紙の差し入れを容易に行うことができ、また給紙口１３１内への埃の侵入を防止することができる。
【００１５】
このペーパーサポート１３２は、図２に示すように、用紙の裏面をサポートする第１サポート３１及び第２サポート３２と、用紙の両サイドエッジをガイドする固定エッジガイド３３と可動エッジガイド３４等を備えている。第１サポート３１は、平板状に形成されて後端の回転軸を中心に図示矢印ｂ方向に回動可能に取り付けられている。第２サポート３２は、平板状に形成されて第１サポート３１に格納・引出自在に配設されている。これにより、使用時は種々のサイズの用紙を確実にサポートすることができ、また不使用時は第２サポート３２を第１サポート３１に格納し、第１サポート３１を給紙口１３１に被せているので、コンパクトに格納しておくことができる。
【００１６】
また、固定エッジガイド３３は、図示右側壁に沿う形状でホッパ５１と一体形成され、可動エッジガイド３４は、図示左側壁に沿う形状に形成され、左側壁と右側壁の間を後壁と略平行に移動可能なように取り付けられている。固定エッジガイド３３と可動エッジガイド３４は、用紙のサイズが異なっても確実に用紙の両側縁をガイドすることができるので、給送を高精度に行うことができる。
【００１７】
排紙部１４０は、図１に示すように、前方に向かって矩形状に開口した排紙口１４１を開閉する機能と、排紙される用紙を１枚もしくは複数枚スタックする機能を併せ持った本発明の特徴的な部分であるスタッカ（媒体スタッカ）１４２を備えている。このスタッカ１４２は、下端の回転軸を中心に図示矢印ｃ方向に回動可能に取り付けられている。ユーザは、インクジェット式プリンタ１００を使用又は不使用のときは、スタッカ１４２の上部に設けられた取っ手１４３に指を掛けてスタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。
【００１８】
このスタッカ１４２は、図２に示すように、第１スタッカ４１及び第２スタッカ（補助スタッカ）４２を備えている。第１スタッカ４１は、平板状に形成されて後端の回転軸を中心に図示矢印ｃ方向に回動可能に取り付けられている。第２スタッカ４２は、平板状に形成されて第１スタッカ４１に格納・引出自在に配設されている。これにより、使用時は種々のサイズの排紙される用紙を確実に積層載置することができ、また不使用時は第２スタッカ４２を第１スタッカ４１に格納し、第１スタッカ４１を排紙口１４１に被せているので、コンパクトに格納しておくことができる。なお、本発明の特徴的な部分であるスタッカ１４２の詳細については後述する。
【００１９】
このインクジェット式プリンタ１００の内部には、図２及び図３に示すように、用紙搬送部１５０、記録部１６０及びディスク搬送部２００が配設されている。用紙搬送部１５０は、給紙部１３０から排紙部１４０に掛けて配設されており、自動給紙機構１５１、搬送機構１５２、排紙機構１５３を備えている。自動給紙機構１５１は、ペーパーサポート１３２にサポートされている用紙を給送するために持ち上げるホッパ５１、このホッパ５１により持ち上げられた用紙を取り出す給紙ローラ５２、この給紙ローラ５２により重送された用紙を１枚のみに分離する分離パッド５３等を備えている。
【００２０】
ホッパ５１は、用紙が載置可能な平板状に形成されて後壁と略平行に配設されており、下端が給紙ローラ５２の近傍に位置し、上端が後壁頂部に近接して位置するように配設されている。そして、ホッパ５１は、後壁に一端が取り付けられた図示しない圧縮バネの他端が下端側の裏面に取り付けられており、この圧縮バネの伸縮により上端側を中心に下端側が旋回するように配設されている。
【００２１】
給紙ローラ５２は、断面の一部が切り欠かれたＤ字状に形成されてホッパ５１の下端近傍に配設されており、間欠的に回転してホッパ５１により持ち上げられた用紙を摩擦給送するようになっている。分離パッド５３は、給紙ローラ５２と当接可能に配設されており、給紙ローラ５２により用紙が重送されたときに最上層の用紙のみを下層の用紙から摩擦分離するようになっている。
【００２２】
搬送機構１５２は、記録動作に同期して副走査方向に用紙を送る紙送りローラ５５とその従動ローラ５６等が配設されている。紙送りローラ５５は、プラテン１６３の搬送上流側に配設されており、給紙ローラ５２により給送される用紙を従動ローラ５６と共に挟持してプラテン１６３へ送り出すようになっている。
【００２３】
排紙機構１５３は、排紙ローラ５７と第１ギザローラ５８ａ及び第２ギザローラ５８ｂ等を備えている。第１ギザローラ５８ａは、プラテン１６３の搬送下流側に配設され、第２ギザローラ５８ｂと排紙ローラ５７は、第１ギザローラ５８ａの搬送下流側に対向配設されており、プラテン１６３を通過してくる用紙を先ず第１ギザローラ５８ａで排送し、続いて第２ギザローラ５８ｂと排紙ローラ５７で挟持してスタッカ１４２上へ排紙するようになっている。尚、第１ギザローラ５８ａ及び第２ギザローラ５８ｂは、同一の保持部材５９により保持されている。
【００２４】
記録部１６０には、記録動作に同期して主走査方向に移動するキャリッジ１６１、記録動作に同期してインクを吐出する記録ヘッド１６２、記録時の用紙を平坦に保持するプラテン１６３等が配設されている。キャリッジ１６１は、プラテン１６３の上方でキャリッジガイド軸１６４に貫装されてキャリッジベルト１６５に連結されており、図示しないキャリッジモータによってキャリッジベルト１６５が作動すると、キャリッジベルト１６５の動きに連行され、キャリッジガイド軸１６４に案内されて往復移動するようになっている。このキャリッジ１６１には、複数のインクカートリッジが抜き差し可能なカートリッジ収納部６１が形成されている。
【００２５】
記録ヘッド１６２は、プラテン１６３と所定の間隔が空くようにしてキャリッジ１６１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００２６】
このような構成において、用紙に記録する場合の動作について説明する。ユーザは、記録前の複数枚の用紙をペーパーサポート１３２に収納してインクジェット式プリンタ１００を起動する。ペーパーサポート１３２に積層収納された用紙は、下端がホッパ５１により持ち上げられて給紙ローラ５２に当接される。そして、給紙ローラ５２により摩擦給送されると同時に、分離パッド５３により最上層の用紙のみが摩擦分離されて給送される。
【００２７】
そして、最上層の用紙は、スキュー取り及び頭出しされた後、紙送りローラ５５とその従動ローラ５６に挟持されてプラテン１６３へ給送される。その用紙は、キャリッジモータとキャリッジベルト１６５により走査されるキャリッジ１６１に搭載された記録ヘッド１６２により記録される。このとき、インクジェット式プリンタ１００の制御部は、例えばイエロー、マゼンタ、ライトマゼンタ、シアン、ライトシアン、ブラックの計６色のインクカートリッジから記録ヘッド１６２へ各色インクを供給し、各色インクの吐出タイミング及びキャリッジ１６１や紙送りローラ５５の駆動を制御して、高精度なインクドット制御、ハーフトーン処理等を実行する。そして、記録が完了した用紙は、第１ギザローラ５８ａから排紙ローラ５７と第２ギザローラ５８ｂに挟持されてスタッカ１４２上へ積層載置される。次に、本発明の特徴的な部分であるスタッカ１４２について、更に図を参照して説明する。
【００２８】
図４及び図５は、上記スタッカ１４２を排紙方向上流側から見た斜視図である。第１スタッカ４１は、排紙される用紙を受けて積載する受部４３と、この受部４３を支持する支持部４４が合わされた２層で構成されている。そして、第２スタッカ４２は、受部４３と支持部４４の間に挟持され、排紙下流側の開口部４５に対して格納・引出可能となっている。このスタッカ１４２は、排紙される用紙のサイズが小さいときは、図４に示すように、第２スタッカ４２を第１スタッカ４１に格納した状態で使用し、排紙される用紙のサイズが大きいときは、図５に示すように、第２スタッカ４２を第１スタッカ４１から引出した状態で使用する。
【００２９】
図６は、図４に示すスタッカ１４２の分解斜視図、図７は、図６に示す第１スタッカ４１の受部４３の内面側を示す斜視図である。第１スタッカ４１の受部４３の排紙方向下流側、すなわち開口部４５側の略中央端部は、第２スタッカ４２の排紙方向下流側の端部が露出するように切欠かれており、ユーザは、この切欠きから覗いている第２スタッカ４２の端部を指で摘んで第２スタッカ４２を第１スタッカ４１の開口部４５内から引出し、もしくは開口部４５内へ格納する。
【００３０】
また、第１スタッカ４１の受部４３の幅方向の両側内部には、第１スタッカ４１の支持部４４を合わせたときに係合するための係合部４３ａがそれぞれ６箇所形成されている。そして、第１スタッカ４１の支持部４４の幅方向の両側内部にも、第１スタッカ４１の受部４３を合わせたときに係合するための係合部４４ａが、上記係合部４３ａと対応する位置にそれぞれ６箇所形成されている。これらの係合部４３ａ、４４ａは、相互に噛み合うＬ字形状に形成されて係合するようになっている。
【００３１】
さらに、本発明の特徴的な部分として、第１スタッカ４１の受部４３の排紙方向上流側、すなわち開口部４５とは反対側の側面４３ｂには、第１スタッカ４１の支持部４４を合わせたときに係止するための係止部（爪）４６が２箇所形成されている。そして、第１スタッカ４１の支持部４４の排紙方向上流側、すなわち開口部４５とは反対側の側面４４ｂにも、第１スタッカ４１の受部４３を合わせたときに係止するための係止部（穴）４７が、上記係止部４６と対応する位置に２箇所形成されている。
【００３２】
第１スタッカ４１の受部４３の係止部４６は、上記側面４３ｂから内部に向かって突出した突起状に形成されている。また、第１スタッカ４１の支持部４４の係止部４７は、上記側面４４ｂから上方に向かって突出した門形状に形成されている。このような受部４３の係止部４６と支持部４４の係止部４７は、突起状の爪が門形状の穴に嵌入されることにより係止するようになっている。
【００３３】
第２スタッカ４２の排紙方向上流側の端部の両端側には、第２スタッカ４２を第１スタッカ４１の開口部４５に対して格納・引出した際の位置決めを行う一対のストッパ４８が形成されている。また、第２スタッカ４２の排紙方向上流側の両側面には、第２スタッカ４２を第１スタッカ４１の開口部４５に対して格納・引出する際のガイドとなる一対のガイド部材４２ａが形成されている。さらに、第２スタッカ４２の排紙方向上流側の端部における一対のストッパ４８の内側には、第２スタッカ４２を第１スタッカ４１の開口部４５に対して格納・引出する際のガイドとなる一対のガイド溝４２ｂが形成されている。
【００３４】
そして、第１スタッカ４１の支持部４４の中央内部には、第２スタッカ４２を格納する空間と引出す際のガイドが形成されている。すなわち、第１スタッカ４１の支持部４４の中央内部には、上記ガイド部材４２ａと接触してガイドするための、排紙方向に開口部４５から側面４４ｂにかけて延びる一対の第１のガイド壁４４ｃが、第２スタッカ４２の幅と略同一寸法の間隔を空けて形成されている。
【００３５】
さらに、一対の第１のガイド壁４４ｃの内側には、上記ガイド溝４２ｂが嵌まり込んでガイドするための、排紙方向に開口部４５から側面４４ｂにかけて延びる一対の第２のガイド壁４４ｄが、上記ガイド溝４２ｂの間隔を空けて形成されている。そして、一対の第１のガイド壁４４ｃと一対の第２のガイド壁４４ｄの間には、第２スタッカ４２を第１スタッカ４１の開口部４５に対して格納・引出した際に上記ストッパ４８を格納・引出の各位置に位置決めするための、排紙方向に短く延びる一対のストッパ壁４９ａ、４９ｂが形成されている。
【００３６】
第２スタッカ４２のストッパ４８は、第２スタッカ４２の用紙受け面から下方に略Ｌ字帯状の片持ち梁状に突出して形成されており、自由端側が上下に弾性変形するようになっている。一方、第１スタッカ４１のストッパ壁４９ａは、開口部４５近傍において上記ストッパ４８の自由端と干渉する位置に形成され、ストッパ壁４９ｂは、側面４４ｂ近傍において上記ストッパ４８の自由端と干渉する位置に形成されている。
【００３７】
このような構成のスタッカ１４２を組み立てるときは、図８に示すように、先ず、第１スタッカ４１の支持部４４の中央内部の空間に第２スタッカ４２を収納する。このとき、各ストッパ４８の自由端は各ストッパ壁４９ｂを越えた側面４４ｂ側に位置させ、各ガイド部材４２ａは各第１のガイド壁４４ｃに当接させ、各ガイド溝４２ｂは各第２のガイド壁４４ｄに嵌め込む。これにより、第２スタッカ４２は、各ストッパ４８の自由端が各ストッパ壁４９ｂに係止された状態になるので、第１スタッカ４１の格納位置にて位置決めされることになる。
【００３８】
次に、第２スタッカ４２が収納された第１スタッカ４１の支持部４４の上から第１スタッカ４１の受部４３を被せる。このとき、受部４３は支持部４４の側面４４ｂ側に少しずらして被せる。これにより、各係合部４３ａ、４４ａ及び各係止部４６、４７は、相互に嵌め込み可能に対向配置されることになる。そして、受部４３を支持部４４に沿って開口部４５側へスライドさせて各係合部４３ａ、４４ａ及び各係止部４６、４７を相互に嵌め込む。
【００３９】
このとき、図９に示すように、係止部４６の突起状の爪は、係止部４７の門形状の穴に嵌入されるので、受部４３の側面４３ｂと支持部４４の側面４４ｂは強固に接合されることになる。したがって、排紙される用紙が受部４３等と干渉することは無いので、高記録精度及び高排紙精度を維持することができると共に、記録ヘッド１６２との接触による用紙のインク汚染等を防止することができる。
【００４０】
以上のようにして組み立てられたスタッカ１４２の第２スタッカ４２は、第１スタッカ４１に格納された状態では、図８に示すように、各ストッパ４８の自由端が各ストッパ壁４９ｂを越えた側面４４ｂ側にて係止された状態になるので、第１スタッカ４１の格納位置にてガタつき無く位置決めロックされることになる。そして、受部４３の側面４３ｂと支持部４４の側面４４ｂは離間することがないので、各ストッパ４８の自由端が各ストッパ壁４９ｂを越えて側面４４ｂ側にて係止されるときは、ユーザは適度なクリック感を得ることができ、メリハリ感を向上させることができる。
【００４１】
また、第１スタッカ４１から引出された状態では、図１０に示すように、各ストッパ４８の自由端が各ストッパ壁４９ａを越えた開口部４５側にて係止された状態になるので、第１スタッカ４１の引出位置にてガタつき無く位置決めロックされることになる。そして、受部４３の側面４３ｂと支持部４４の側面４４ｂは離間することがないので、各ストッパ４８の自由端が各ストッパ壁４９ａを越えて開口部４５側にて係止されるときも、ユーザは適度なクリック感を得ることができ、メリハリ感を向上させることができる。
【００４２】
また、第２スタッカ４２を第１スタッカ４１から引出すとき、もしくは第２スタッカ４２を第１スタッカ４１へ押し込むときは、各ガイド部材４２ａが各第１のガイド壁４４ｃをガイドとし、更に各ガイド溝４２ｂが各第２のガイド壁４４ｄをガイドとするので、第２スタッカ４２の両側面における全面当たりを無くしてカジリを防止し、第２スタッカ４２をスムーズにスライドさせることができる。そして、受部４３の側面４３ｂと支持部４４の側面４４ｂは離間することがないので、第２スタッカ４２を第１スタッカ４１から引出したときに、第２スタッカ４２が第１スタッカ４１から抜き出て外れてしまうような事態を防止することができる。
【００４３】
以上のように、本実施形態によれば、第１スタッカ４１の受部４３と支持部４４の排出方向上流側の側面４３ｂ、４４ｂが係止部４６、４７により係止されているので、受部４３と支持部４４の幅方向の合わせ部分を常に閉じた状態に維持しておくことができ、排出される用紙との干渉を無くして用紙を確実に積載することができる。また、受部４３と支持部４４の間に内蔵されており、排出方向下流側にて挿抜自在な第２スタッカ４２のストッパ４８は、ストッパ壁４９ａ、４９ｂに対し常に引っ掛かるようになるので、第２スタッカ４２の格納・引出位置を正確に位置決めすることができる。また、係止部４６、４７は、爪とこの爪が掛かる穴を備えた簡易な構成であるので、部品コストの上昇を抑えることができる。また、受部４３と支持部４４の幅方向の合わせ部分の離間によるスタッカ１４２の排紙部１４０における回動不良を防止することができる。
【産業上の利用可能性】
【００４４】
媒体スタッカを備えた記録装置であれば、例えばファクシミリ装置、コピー装置、スキャナ等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４５】
【図１】本発明の一実施の形態に係る記録装置の１つであるインクジェット式プリンタの外観構成の全体を示す斜視図である。
【図２】図１のプリンタの内部構造を示す斜視図である。
【図３】図２のプリンタの内部構造を示す概略側面図である。
【図４】図１のプリンタのスタッカを排紙方向上流側から見た第１の斜視図である。
【図５】図１のプリンタのスタッカを排紙方向上流側から見た第２の斜視図である。
【図６】図４に示すスタッカの分解斜視図である。
【図７】図６に示す第１スタッカの受部の内面側を示す斜視図である。
【図８】図６に示す第１スタッカの支持部の中央内部の空間に第２スタッカを収納した状態を示す斜視図である。
【図９】図４に示すスタッカの断面側面図である。
【図１０】図６に示す第１スタッカから第２スタッカを引出した状態を示す斜視図である。
【符号の説明】
【００４６】
４１  第１スタッカ、４２  第２スタッカ、４２ａ  ガイド部材、４２ｂ  ガイド溝、４３  受部、４４  支持部、４３ａ、４４ａ  係合部、４３ｂ、４４ｂ  側面、４４ｃ、４４ｄ  ガイド壁、４５  開口部、４６、４７  係止部、４８  ストッパ、４９ａ、４９ｂ  ストッパ壁、５５  紙送りローラ、５６  従動ローラ、５７  排紙ローラ、１００  インクジェット式プリンタ、１１０  操作部、１２０  メモリカードスロット部、１３０  給紙部、１４０  排紙部、１４１  排紙口、１４２  スタッカ、１５０  用紙搬送部、１５１  自動給紙機構、１５２  搬送機構、１５３  排紙機構、１６０  記録部、２００  ディスク搬送部
【図１】
2007031042.tif 000003
【図２】
2007031042.tif 000004
【図３】
2007031042.tif 000005
【図４】
2007031042.tif 000006
【図５】
2007031042.tif 000007
【図６】
2007031042.tif 000008
【図７】
2007031042.tif 000009
【図８】
2007031042.tif 000010
【図９】
2007031042.tif 000011
【図１０】
2007031042.tif 000012